(57)【要約】【課題】粒状物が収容された容器の口から容器内に突っ込んで粒状物を押さえるネットであって、容器から取り出すときに粒状物がこぼれることのない粒状物押えネットを提供する。【解決手段】粒状物が収容された容器内に該容器の口から突っ込まれる軟質の合成樹脂ネット４であって、略正方形のネット中央部４ａの四周に二分割状のヒレ部４ｂ，４ｂが連成されており、粒状物が通過できない網目を有するネット４とする。この合成樹脂ネット４を容器の口から突っ込むと略有底筒状に変形して粒状物を振動しないように押さえることができ、容器から取り出すときは、該ネット４の滑性が良好で大きいシワもないため、粒状物が該ネット４にくっついたりシワに挟まったりして容器の口からこぼれるのを防止することができる。【選択図】  図２
2004175438.tif 000002
【特許請求の範囲】
【請求項１】
粒状物が収容された容器内に該容器の口から突っ込まれる軟質の合成樹脂ネットであって、略正方形のネット中央部の四周に二分割状のヒレ部が連成されており、粒状物が通過できない網目を有していることを特徴とする容器内の粒状物押えネット。
【請求項２】
略正方形のネット中央部の一辺の長さが容器の口の直径の略２倍に等しい請求項１に記載の粒状物押えネット。
【請求項３】
二分割状のヒレ部がそれぞれ略正方形とされ、その一辺の長さが略正方形のネット中央部の一辺の長さの略半分である請求項１又は請求項２に記載の粒状物押えネット。
【請求項４】
二分割状のヒレ部の先端が、合体させると山形になるように、それぞれ斜めに切断されている請求項１ないし請求項３のいずれかに記載の粒状物押えネット。
【請求項５】
軟質のオレフィン系樹脂ネットからなる請求項１ないし請求項４のいずれかに記載の粒状物押えネット。
【発明の詳細な説明】
【０００１】
【発明の属する技術分野】
本発明は、容器に収容された粒状物が運搬中に振動しないように、該粒状物を押さえる合成樹脂製の押えネットに関する。
【０００２】
【従来の技術】
薬の錠剤等を入れたビン等の容器は、運搬中に錠剤が振動して割れることがある。これを防止するため、従来から図６に示すように、錠剤１を入れた容器２に塩化ビニル樹脂等の樹脂フィルム３を褶曲させて詰め込み、この樹脂フィルム３によって錠剤１を振動しないように押えている。
【０００３】
【発明が解決しようとする課題】
しかしながら、上記のように樹脂フィルム３を褶曲させて容器２に詰め込んだものは、樹脂フィルム３を取り出すときに、錠剤１が樹脂フィルム３にくっついたり、樹脂フィルム３の深いシワの間に挟まったりして、容器２からこぼれやすいという問題があった。
【０００４】
本発明は上記の問題に対処すべくなされたもので、その目的とするところは、容器から取り出すときに錠剤等の粒状物がこぼれることのない粒状物押えネットを提供することにある。
【０００５】
【課題を解決するための手段】
上記の目的を達成するため、本発明に係る容器内の粒状物押えネットは、粒状物が収容された容器内に該容器の口から突っ込まれる軟質の合成樹脂ネットであって、略正方形のネット中央部の四周に二分割状のヒレ部が連成されており、粒状物が通過できない網目を有していることを特徴とするものである。
【０００６】
このような粒状物押えネットは、容器の口から粒状物を押し分けるように容器内に突っ込まれて略有底筒状に変形し、粒状物を外側へ押圧するため、運搬中の粒状物の振動を防止することができる。特に、この粒状物押えネットは、略正方形のネット中央部の四周に二分割状のヒレ部を連成したものであるため、該押えネットを容器の口から突っ込むと、そのネット中央部が略椀状に変形すると共に、四周の二分割状のヒレ部が互いに重なって略筒状となり、ネット全体がシワの少ない略有底筒状に容易に変形して粒状物を外側へ押圧することができる。そして、押圧された粒状物は、略有底筒状に変形した押えネットの網目を通過できないので、該押えネットの内側へ入り込むことがない。しかも、この押えネットは滑性が良い上に、粒状物が挟まるような深いシワも生じないため、容器の口から取り出すときに粒状物がこの押えネットと一緒に容器の口からこぼれる心配はない。
【０００７】
本発明の粒状物押えネットでは、略正方形のネット中央部の一辺の長さを容器の口の直径の略２倍に等しくすることが好ましく、このようにすると、粒状物押えネットを容器の口から突っ込む作業が一層容易になる。
【０００８】
また、本発明の粒状物押えネットでは、二分割状のヒレ部をそれぞれ略正方形となし、その一辺の長さを略正方形のネット中央部の一辺の長さの略半分にすることが好ましく、このようにすると、粒状物を押し分けて押えネットを容器の口から適度な深さまで突っ込み、確実に粒状物を押圧することができる。
【０００９】
更に、本発明の粒状物押えネットでは、二分割状のヒレ部の先端を、合体させると山形になるように、それぞれ斜めに切断することが好ましい。このようにすると、粒状物押えネットを容器の口から突っ込んだときに、ヒレ部の先端が容器の口の内側に沿って略同じ高さに揃い易くなる。
【００１０】
また、本発明の粒状物押えネットは、軟質のオレフィン系樹脂ネットからなることが好ましい。このような軟質のオレフィン系樹脂ネットは滑性が良く、不活性で、添加剤のブリードアウトもないため、変質や汚染を避ける必要がある薬の錠剤の押えネットとして極めて好適に使用される。
【００１１】
【発明の実施の形態】
以下、図面を参照して本発明の具体的な実施形態を詳述する。
【００１２】
図１は本発明の一実施形態に係る容器内の粒状物押えネットの平面図、図２は同押えネットの形状を説明するための概略平面図、図３及び図４は同押えネットの使用方法を説明するための断面図であって、図３は同押えネットを容器に突っ込む前の状態を、図４は同押えネットを容器に突っ込んだ後の状態を示す。
【００１３】
図１に例示の粒状物押えネット４は、軟質の合成樹脂の縦糸と横糸をその交点で融着してなる軟質の合成樹脂ネットを、図１及び図２に示すような平面形状に切断して作製したものである。
【００１４】
この粒状押えネット４は、容器に収容される粒状物１（図３，図４参照）が通過できない大きさの網目、具体的には縦糸のピッチが１〜３ｍｍ程度で横糸のピッチが２〜４ｍｍ程度の小さな方形の網目を有しており、縦糸と横糸の太さは、０．１〜０．８ｍｍ程度とされている。粒状物１が通過できる大きい網目を有するネットは、粒状物１を押さえることができないため、粒状物押えネットとして使用不可能である。また、縦糸及び横糸が０．１ｍｍより細いネットは、強度が弱くて破れやすい上に、剛性（腰の強さ）も劣るため、粒状物１をしっかりと押さえられないという不都合があり、一方、縦糸及び横糸が０．８ｍｍより太いネットは、剛性が強すぎて容器２の口２ａから突っ込み難いという不都合があるので、いずれも粒状物押えネットとしての使用は不適当である。
【００１５】
粒状押えネット４の材料となる軟質の合成樹脂ネットとしては、滑性が良く、不活性で、添加剤のブリードアウトもない、高密度ポリエチレンなどの軟質のオレフィン系樹脂で形成されたネットが特に好適に使用されるが、他の軟質のポリエステル樹脂やビニル系樹脂などで形成された合成樹脂ネットも勿論使用することができる。
【００１６】
図２に示すように、この粒状物押えネット４は、略正方形のネット中央部４ａの四周に二分割状のヒレ部４ｂ，４ｂを連成した平面形状を有しており、ネット中央部４ａの一辺の長さは、この粒状物押えネット４を突っ込む容器２の口２ａの直径の略２倍に等しくなっている。そして、二分割状のヒレ部４ｂ，４ｂはそれぞれ略正方形とされ、その一辺の長さが略正方形のネット中央部４ａの一辺の長さの略半分になっている。
【００１７】
上記のような構成の粒状物押えネット４を、図３に示すように粒状物１が収容された容器２の口２ａに載置して上方から棒体５を押し込むと、図４に示すように、押えネット４は容器２の口２ａから粒状物１を押し分けて容器２内に突っ込まれ、そのネット中央部４ａが略椀状に変形すると共に、四周の二分割状のヒレ部４ｂ，４ｂが互いに重なって略筒状となり、ネット４全体がシワの少ない略有底筒状に変形して、粒状物１を外側へ押圧する。このように押圧された粒状物１は、小さな網目を通って略有底筒状に変形した押えネット４の内部に入り込めないため、押えネット４による押圧状態が維持されて、粒状物１の運搬時等における振動が防止される。
【００１８】
上記のように押えネット４を容器２の口２ａから突っ込む際に、ネット中央部４ａの一辺の長さが容器２の口２ａの直径の略２倍に等しくされていると、押えネット４の突っ込み作業がしやすくなり、大きい抵抗を受けないで突っ込むことができる上に、ネット中央部４ａが適度な大きさの略椀状に変形して周囲の粒状物１を適度な圧力で押圧できるようになる。また、二分割状のヒレ部４ｂ，４ｂが略正方形に形成され、その一辺の長さがネット中央部４ａの一辺の長さの略半分になっていると、粒状物１を押し分けて押えネット４を容器２の口２ａから適度な深さまで突っ込み、確実に粒状物１を押圧することができる。
【００１９】
一方、この押えネット４を容器２から取り出すときは、押えネット４の滑性が良く、粒状物１が挟まるような深いシワもないため、粒状物１が押えネット４にくっついたり深いシワに挟まったりして容器２の口２ａからこぼれることがない。特に、押えネット４が軟質のオレフィン系樹脂ネットからなるものであるときは、滑性が優れているため粒状物１のこぼれ防止効果が顕著であり、しかも、このオレフィン系樹脂ネットは不活性で、添加剤のブリードアウトもないため、粒状物１を変質させたり汚染させたりする心配がなく、薬の錠剤の押えネットとして極めて好適である。
【００２０】
図５は本発明の他の実施形態に係る粒状物押えネットの形状を説明するための概略平面図である。
【００２１】
この粒状物押えネット４は、二分割状のヒレ部４ｂ，４ｂの先端を、合体させると山形になるように、それぞれ斜めに切断したものである。その他の構成は前記実施形態の粒状物押えネット４と同様であるので、図５において同一部材に同一符号を付し、説明を省略する。
【００２２】
このような粒状物押えネット４は、容器２の口２ａから突っ込んだときに、ヒレ部４ｂ，４ｂの斜めに切断された先端が容器２の口２ａの内側に沿って略同じ高さに揃い易くなる利点がある。
【００２３】
以上、代表的な実施形態を挙げて本発明を説明したが、本発明はこれらの実施形態のみに限定されるものではなく、例えばヒレ部４ｂ，４ｂを容器２の深さに対応して長方形に形成する等、種々の設計的変更を許容し得るものである。
【００２４】
【発明の効果】
以上の説明から明らかなように、本発明の粒状物押えネットは、容器の口から突っ込みやすく、突っ込むと略有底筒状に変形して粒状物を外側へ押圧して粒状物の運搬時等における振動を防止することができ、しかも、容器から取り出す際に、粒状物が容器の口からこぼれるのを防止することができるといった効果を奏する。特に、軟質のオレフィン系樹脂ネットで作製した押えネットは、滑性が良いため粒状物のこぼれ防止効果が顕著であり、不活性で添加剤のブリードアウトもないため、粒状物の変質や汚染の心配を解消できるといった効果を合わせて奏する。
【図面の簡単な説明】
【図１】本発明の一実施形態に係る容器内の粒状物押えネットの平面図である。
【図２】同押えネットの形状を説明するための概略平面図である。
【図３】同押えネットの使用方法を説明するための断面図であって、同押えネットを容器に突っ込む前の状態を示すものである。
【図４】同押えネットの使用方法を説明するための断面図であって、同押えネットを容器に突っ込んだ後の状態を示すものである。
【図５】本発明の他の実施形態に係る容器内の粒状物押えネットの形状を説明するための概略平面図である。
【図６】錠剤を入れた容器に樹脂フィルムを詰めた従来例を示す断面図である。
【符号の説明】
１  粒状物（薬の錠剤）
２  容器
２ａ  容器の口
４  粒状物押えネット
４ａ  ネット中央部
４ｂ  二分割状のヒレ部
【図１】
2004175438.tif 000003
【図２】
2004175438.tif 000004
【図３】
2004175438.tif 000005
【図４】
2004175438.tif 000006
【図５】
2004175438.tif 000007
【図６】
2004175438.tif 000008